(57)【要約】【課題】必要に応じて屋内に充分な通風状態を形成できるようにすること。【解決手段】一方の室４に面して天井面１から床面２までを延びる固定と可動の各間仕切り板６，７を重なり状にして室４と室５とを仕切る間仕切り壁において、各間仕切り板６，７は、面内に、スリット状開口部分６ａ，７ａと遮蔽部分６ｂ，７ｂとを多数、分散状態に備えると共に、間仕切り板７を間仕切り板６に対して左右方向に変位させることができるようになっていて、該変位操作による切換えによって、各間仕切り板６，７の開口部分同士を連通させて一方の室４ともう一方の室５とを通風可能に連通させた開き状態と、一方の間仕切り板の開口部分をもう一方の間仕切り板の遮蔽部分で塞いだ閉じ状態とを形成できるようになされている。【選択図】      図１
2009293337.tif 000002
【特許請求の範囲】
【請求項１】
一方の室に面して天井面から床面までを延びる間仕切り板と、もう一方の室に面して天井面から床面までを延びる間仕切り板とが重なり状にされて室と室とを仕切る間仕切り壁が構成され、
各間仕切り板は、面内に開口部分と遮蔽部分とを多数、分散状態に備えると共に、一方の間仕切り板をもう一方の間仕切り板に対して面内方向に相対変位させることができるようになされており、該相対変位操作による切換えによって、各間仕切り板の開口部分同士を連通させて一方の室ともう一方の室とを通風可能に連通させた開き状態と、一方の間仕切り板の開口部分をもう一方の間仕切り板の遮蔽部分で塞いだ閉じ状態とを形成することができるようになされていることを特徴とする間仕切り壁の構造。
【請求項２】
前記各間仕切り板が、上下方向に延びるスリット状の開口部分を左右方向に間隔的に多数列設し、スリット状開口部間を遮蔽部分としたものからなっており、一方の間仕切り板を左右方向に変位させることによって開き状態と閉じ状態とを形成するようになされている請求項１に記載の間仕切り壁の構造。
【請求項３】
前記開き状態において、両室が、各間仕切り板の開口部分を通じて視覚的にオープンになるようになされている請求項１又は２に記載の間仕切り壁の構造。
【請求項４】
一方の間仕切り板が固定で、もう一方の間仕切り板が可動であり、該もう一方の間仕切り板を変位操作することにより、開き状態と閉じ状態の切換えを行うようになされている請求項１乃至３のいずれか一に記載の間仕切り壁の構造。
【請求項５】
遮蔽部分の縁部に、閉じ状態において開口部分を密閉状態に塞ぐタイト材が備えられている請求項１乃至４のいずれか一に記載の間仕切り壁の構造。
【請求項６】
前記タイト材が、開閉状態切換えのための間仕切り板の相対変位量を規制するストッパーを兼ねている請求項５に記載の間仕切り壁の構造。
【発明の詳細な説明】
【技術分野】
【０００１】
本発明は、間仕切り壁の構造に関する。
【背景技術】
【０００２】
住宅等の建物における屋内の通風は、屋外に面する窓を開け、室間を出入りするためのドアを開くことによって行われているが、屋内のプランによっては、一方向にしか窓が備えられておらず、そのため、窓を開け、ドアを開いても、充分な通風を確保することができない場合があるという問題があった。
【特許文献１】特開平８−４９３２５号公報
【発明の開示】
【発明が解決しようとする課題】
【０００３】
本発明は、上記のような問題点に鑑み、必要に応じて屋内に充分な通風状態を形成することができるようにすることを課題とする。
【課題を解決するための手段】
【０００４】
上記の課題は、一方の室に面して天井面から床面までを延びる間仕切り板と、もう一方の室に面して天井面から床面までを延びる間仕切り板とが重なり状にされて室と室とを仕切る間仕切り壁が構成され、
各間仕切り板は、面内に開口部分と遮蔽部分とを多数、分散状態に備えると共に、一方の間仕切り板をもう一方の間仕切り板に対して面内方向に相対変位させることができるようになされており、該相対変位操作による切換えによって、各間仕切り板の開口部分同士を連通させて一方の室ともう一方の室とを通風可能に連通させた開き状態と、一方の間仕切り板の開口部分をもう一方の間仕切り板の遮蔽部分で塞いだ閉じ状態とを形成することができるようになされていることを特徴とする間仕切り壁の構造によって解決される（第１発明）。
【０００５】
この構造では、天井面から床面までを延びる間仕切り壁、それ自体を、上記の開き状態にすることによって、通風間仕切り壁が構成されるようになされているものであるから、屋内を間仕切り壁で仕切っても、間仕切り壁を通じて通風させることができ、プランによる制約にかかわらず、屋内に充分な通風状態を形成することができる。
【０００６】
しかも、各間仕切り板の開口部分同士を連通させて一方の室ともう一方の室とを通風可能に連通させた開き状態と、一方の間仕切り板の開口部分をもう一方の間仕切り板の遮蔽部分で塞いだ閉じ状態とを形成することができるようになされているので、通風をしないときは閉じ状態にすることができる。
【０００７】
加えて、各間仕切り板には、その面内に開口部分と遮蔽部分とが多数、分散状態に備えられているので、開閉状態の切換えは、少しの相対変位によって行うことができ、隣接する部分との取り合い関係に支障を生じることもないし、開閉のための面外方向へのスペース確保も必要ないか、わずかで済む。のみならず、間仕切り壁の広い面を通じて効果的な通風状態を形成することができる。
【０００８】
第１発明において、前記各間仕切り板が、上下方向に延びるスリット状の開口部分を左右方向に間隔的に多数列設し、スリット状開口部間を遮蔽部分としたものからなっており、一方の間仕切り板を左右方向に変位させることによって開き状態と閉じ状態とを形成するようになされているとよい（第２発明）。
【０００９】
この場合は、上下方向に延びるスリット状開口部によって、上下方向における空気の動きをスムーズに行わせることができて効果的な通風状態を形成することができると共に、閉じ状態における閉じ位置の保持と、開き状態における開き位置の保持とに、特別な保持機構を必要とせず、簡素な機構で各状態における位置保持を実現することができる。
【００１０】
第１，第２の発明において、前記開き状態で、両室が、各間仕切り板の開口部分を通じて視覚的にオープンになるようになされているとよい（第３発明）。この場合は、開き状態において、各室の視界を広くすることができて空間的な開放感を各室に与えることができると共に、一方の室側でもう一方の室側の光を直接取り入れることも可能になる。
【００１１】
第１〜第３発明において、一方の間仕切り板が固定で、もう一方の間仕切り板が可動であり、該もう一方の間仕切り板を変位操作することにより、開き状態と閉じ状態の切換えを行うようになされているとよい（第４発明）。この場合は、一方の間仕切り板を固定することで、簡素な構造によりしっかりとした間仕切り壁を構築することが可能になる。
【００１２】
第１〜第４発明において、遮蔽部分の縁部に、閉じ状態において開口部分を密閉状態に塞ぐタイト材が備えられている場合（第５発明）は、閉じ状態における室間の遮音性能を向上することができるし、遮蔽部分が光を遮蔽するものである場合には、閉じ状態における室間の遮光性能を高いものにすることができる。
【００１３】
第５発明において、前記タイト材が、開閉状態切換えのための間仕切り板の相対変位量を規制するストッパーを兼ねている場合（第６発明）は、相対変位量の規制を簡素な構造で実現することができる。
【発明の効果】
【００１４】
本発明は、以上のとおりのものであるから、屋内を間仕切り壁で仕切っても、間仕切り壁を通じて通風させることができ、プランによる制約にかかわらず、屋内に充分な通風状態を形成することができる。しかも、通風をしないときは閉じ状態にすることができる。
【００１５】
加えて、開閉状態の切換えは、少しの相対変位によって行うことができて、取り合い関係の支障やスペース確保の必要が少ないか、なく、また、間仕切り壁の広い面を通じて効果的な通風状態を形成することができる。
【発明を実施するための最良の形態】
【００１６】
次に、本発明の実施最良形態を図面に基づいて説明する。
【００１７】
図１に示す実施形態の間仕切り壁の構造において、１は天井面、２は床面、３は間仕切り壁であり、該間仕切り壁３は、天井面１から床面２までを延びて、一方の室４ともう一方の室５とを仕切っている。
【００１８】
該間仕切り壁３において、６は一方の室に面する固定間仕切り板、７はもう一方の室に面する可動間仕切り板であり、各間仕切り板６，７は、重なり状にされて天井面１から床面２までを延ばされている。
【００１９】
そして、各間仕切り板６，７は、図２（ロ）（ハ）に示すように、上下方向に延びるスリット状の開口部分６ａ，７ａを左右方向に間隔的に多数列設し、該スリット状開口部６ａ…，７ａ…間を遮光性を備えた遮蔽部分６ｂ…，７ｂ…としたものからなっている。
【００２０】
固定の間仕切り板６は、図１（イ）に示すように、天井面１と床面２とに対して固着状態に取り付けられると共に、可動の間仕切り板７は、天井面１側及び床面２側において固定の間仕切り板６に設けられたレール部８，８に案内されて、左右方向に変位することができるようになされており、該可動の間仕切り板７を左右方向に変位させることにより、図１（ハ）に示すように、各間仕切り板６，７の開口部分６ａ…，７ａ…同士が連通して一方の室４ともう一方の室５とを通風可能に連通させた開き状態と、図１（ロ）に示すように、一方の間仕切り板６，７の開口部分６ａ…，７ａ…をもう一方の間仕切り板７，６の遮蔽部分７ｂ…，６ｂ…で塞いだ閉じ状態とに切り換えることができるようになされている。
【００２１】
そして、本実施形態では、図１（イ）（ハ）に示すように、開き状態において、両室４，５が、各間仕切り板６，７の開口部分６ａ…，７ａ…を通じて視覚的にオープンになるようになされている一方で、図１（ロ）に示す閉じ状態において、室４，５間で遮光状態が形成されるようになされている。
【００２２】
また、図３に示すように、各間仕切り板６，７の遮蔽部分６ｂ…，７ｂ…の縁部には、ゴム製のタイト材９が設けられ、図３（イ）に示すように、閉じ状態において開口部分６ａ…，７ａ…がタイト材９によって密閉状に塞がれて音漏れ、光漏れ等が阻止されるようになされていると共に、各間仕切り板６，７に設けられたタイト材９，９は、開閉状態切換えのため間仕切り板７の左右方向への変位動作において、ストッパーとして機能し、開閉状態切換えのため、間仕切り板７を左右方向に変位操作をすると、図３（イ）（ロ）に示すように、固定の間仕切り板６の側のタイト材９…と可動の間仕切り板７の側のタイト材９…とが当接し、それ以上の変位を可動間仕切り板７がするのを規制するようになされている。
【００２３】
上記の間仕切り壁の構造では、天井面１から床面２までを延びる間仕切り壁３、それ自体を、図１（ハ）に示すような開き状態にすることによって、通風間仕切り壁が構成されるから、屋内を間仕切り壁３で仕切っても、間仕切り壁３を通じて通風させることができ、プランによる制約にかかわらず、屋内に充分な通風状態を形成することができる。
【００２４】
しかも、通風をしないときは、図１（ロ）に示すような閉じ状態にすることができて、普通の間仕切り壁として機能させることができる。
【００２５】
加えて、各間仕切り板６，７には、その面内にスリット状開口部分６ａ…，７ａ…と遮蔽部分６ｂ…，７ｂ…とが多数、分散状態に備えられているので、開閉状態の切換えは、可動の間仕切り板７を少し変位させることによって行うことができ、隣りの間仕切り壁やドア等の開口部との取り合い関係に支障を生じることもないし、開閉のための面外方向へのスペース確保も必要なく、開き状態では、間仕切り壁３の広い面を通じて効果的な通風状態を形成することができる。特に、上下方向に延びるスリット状開口部６ａ…，７ａ…によって、上下方向における空気の動きをスムースに行わせることができて効果的な通風状態を形成することができる。
【００２６】
また、可動の間仕切り板７を左右方向に変位させることで、開閉状態の切換えを行う構成としているので、閉じ状態における閉じ位置の保持と、開き状態における開き位置の保持とに、特別な保持機構を必要とせず、簡素な機構で各状態における位置保持を行うことができる。
【００２７】
更に、開き状態において、両室４，５が、各間仕切り板６，７のスリット状開口部分６ａ…，７ａ…を通じて視覚的にオープンになるので、各室４，５の視界を広くすることができて空間的な開放感を各室４，５に与えることができると共に、一方の室側でもう一方の室側の光を直接取り入れることも可能になる。その一方で、閉じ状態においては、通風のみならず、採光、音の伝搬、視界の広がりをなくした普通の間仕切り壁にすることができる。
【００２８】
また、一方の間仕切り板６を固定としていることで、簡素な構造によりしっかりとした間仕切り壁３を構築することが可能になると共に、間仕切り壁の四周をタイトに構成することができて、閉じ状態におけるその部分を通じた音漏れや光漏れを簡素な構造で防ぐことができる。
【００２９】
以上に、本発明の実施形態を示したが、本発明はこれに限られるものではなく、発明思想を逸脱しない範囲で各種の変更が可能である。例えば、上記の実施形態では、各間仕切り板に設ける開口部分として、上下方向に延びるスリット状開口部を採用し、それを左右方向に列設した場合を示したが、左右方向に延びるスリット状開口部を採用し、それを上下方向に列設し、開閉状態の切換えを可動の間仕切り板を上下方向に変位させることによって行う構成としてもよいし、各間仕切り板に設ける開口部分と遮蔽部分の形態に制限はなく、種々の形態が採用されてよく、それに応じて、間仕切り板の変位方向も様々であってよい。
【００３０】
また、開閉状態の切換えは、間仕切り板が前後方向に変位することで行われるようになされたものであってもよい。更に、上記の実施形態では、一方の間仕切り板を固定とし、もう一方の間仕切り板を可動とした場合を示したが、両方共に可動に構成されていてもよい。
【図面の簡単な説明】
【００３１】
【図１】実施形態の間仕切り壁の構造を示すもので、図（イ）は断面側面図、図（ロ）は閉じ状態の正面図、図（ハ）は開き状態の正面図である。
【図２】図（イ）は間仕切り壁の断面側面図、図（ロ）は固定側の間仕切り板の背面図、図（ハ）は可動側の間仕切り板の正面図である。
【図３】同間仕切り壁を示すもので、図（イ）は閉じ状態の平面断面図、図（ロ）は開き状態の平面断面図である。
【符号の説明】
【００３２】
１…天井面
２…床面
３…間仕切り壁
４，５…室
６…間仕切り板
６ａ…スリット状開口部（開口部分）
６ｂ…遮蔽部分
７…間仕切り板
７ａ…スリット状開口部分
７ｂ…遮蔽部分
９…タイト材
【図１】
2009293337.tif 000003
【図２】
2009293337.tif 000004
【図３】
2009293337.tif 000005